(57)【要約】  【課題】  基地局の接続が切断された場合でも、子局（端末局）と統制台の通信が行えるデジタル無線システムを提供する。  【解決手段】  統制台８と、複数の基地局２，３，４を備えた親局と、複数の子局５−１，…，５−ｎ，６−１，…，６−ｎ，７−１，…，７−ｎを有するデジタル無線システムにおいて、親局には、複数の基地局とは別の代替無線装置１４が無線回線により接続され、複数の基地局のうち何れかの基地局が異常発生した場合、当該異常発生した基地局の代替として別の代替無線装置を統制台と無線回線で接続し、別の代替無線装置により、異常発生した際の位置登録された子局との無線接続を行うことを特徴とする。【選択図】図１
2006261893.tif 000002
【特許請求の範囲】
【請求項１】
統制台と、複数の基地局を備えた親局と、複数の子局を有するデジタル無線システムにおいて、
前記親局には、前記複数の基地局とは別の代替無線装置が無線回線により接続され、
前記複数の基地局のうち何れかの基地局が異常発生した場合、当該異常発生した基地局の代替として前記別の代替無線装置を前記統制台と無線回線で接続し、前記別の代替無線装置により、前記異常発生した際の位置登録された前記子局との無線接続を行うことを特徴とするデジタル無線システム。
【請求項２】
請求項１記載のデジタル無線システムにおいて、前記基地局が異常発生したことを検知し当該異常発生を検知した場合に前記別の代替無線装置を起動する監視制御手段を備えたことを特徴とするデジタル無線システム。
【発明の詳細な説明】
【技術分野】
【０００１】
本発明は、統制台と、複数の基地局を備えた親局と、複数の子局を有するデジタル無線システムに関する。
【背景技術】
【０００２】
統制台と、複数の基地局を備えた親局と、複数の子局を有するデジタル無線システムは、（社）電波産業会策定の標準規格ＡＲＩＢ  ＳＴＢ−Ｔ７９「市町村デジタル移動通信システム」（非特許文献１）に基づいたデジタル無線システムである。
【０００３】
図２は従来のデジタル無線システムの構成図である。デジタル無線システムは、該システムを統括し各通信を回線交換接続制御する統制局制御装置１と、端末局と無線通信を行う複数の基地局無線送受信装置２，３，４と、基地局無線送受信装置２，３，４の各エリアに配置され無線通信を行う端末局５−１，…，５−ｎ，６−１，…，６−ｎ，７−１，…，７−ｎと、該システムの中心となり通常通信の他、一斉通信、統制通信等の指令通信を行う統制台８と、該システムの運用状態を管理する運用管理装置９と、各通信状況を記録する自動通信記録装置１０を備えている。
【０００４】
統制局制御装置１と基地局無線送受信装置２，３，４は、基地局無線送受信装置２，３，４の設置場所に合わせて、有線回線、多重無線装置を介して接続する多重無線回線、または、端局装置を介して接続する専用回線等の有線回線により接続する。
【０００５】
図２において、統制局制御装置１と基地局無線送受信装置２は有線回線で接続し、統制局制御装置１と基地局無線送受信装置３は多重無線装置１１ａ，１１ｂを介して多重無線回線で接続し、統制局制御装置１と基地局無線送受信装置４は、端局装置１２ａ，１２ｂを介して専用回線等の有線回線で接続している。
【０００６】
端末局５−１，…，５−ｎと基地局無線送受信装置２はデジタル無線回線で接続し、端末局６−１，…，６−ｎと基地局無線送受信装置３はデジタル無線回線で接続し、端末局７−１，…，７−ｎと基地局無線送受信装置４はデジタル無線回線で接続し、統制局制御装置１と統制台８は有線回線で接続している。
【０００７】
次に動作を説明する。端末局５−１と端末局５−ｎが通信を行う場合は、基地局無線送受信装置２→統制局制御装置１→基地局無線送受信装置１を介して回線接続し、端末局５−１と端末局６−１が通信を行う場合は、基地局無線送受信装置２→統制局制御装置１→基地局無線送受信装置３を介して回線接続し、端末局５−１と端末局７−１が通信を行う場合は、基地局無線送受信装置２→統制局制御装置１→基地局無線送受信装置４を介して回線接続し、端末局５−１と統制台７が通信を行う場合は、基地局無線送受信装置２→統制局制御装置１を介して回線接続し、その他の組合せの通信も同様に回線接続する。
【０００８】
また、統制局制御装置１と基地局無線送受信装置２の有線回線接続が障害等により切断された場合は、基地局無線送受信装置２エリア内に配置された端末局５−１〜端末局５−ｎ同士の通信のみ基地局無線送受信装置２を介して行う折返し通信状態へ自動的に移行し、統制局制御装置１と基地局無線送受信装置３または４との接続が切断されても同様の動作となる。
【０００９】
【非特許文献１】（社）電波産業会策定の標準規格ＡＲＩＢ  ＳＴＢ−Ｔ７９「市町村デジタル移動通信システム」
【発明の開示】
【発明が解決しようとする課題】
【００１０】
従来のデジタル無線システムにおいては、基地局の接続が切断されてしまった場合に、切断された基地局のエリアに配置されている端末局と、災害対策本部等システムの中心となる部門に配置された統制台との通信が行えなくなってしまうという課題がある。
【００１１】
本発明の目的は、基地局の接続が切断された場合でも、子局（端末局）と統制台の通信が行えるデジタル無線システムを提供することにある。
【課題を解決するための手段】
【００１２】
本発明は、統制台と、複数の基地局を備えた親局と、複数の子局を有するデジタル無線システムにおいて、前記親局には、前記複数の基地局とは別の代替無線装置が無線回線により接続され、前記複数の基地局のうち何れかの基地局が異常発生した場合、当該異常発生した基地局の代替として前記別の代替無線装置を前記統制台と無線回線で接続し、前記別の代替無線装置により、前記異常発生した際の位置登録された前記子局との無線接続を行うことを特徴とする。
【００１３】
また本発明は、前記基地局が異常発生したことを検知し、当該異常発生を検知した場合に前記別の代替無線装置を起動する監視制御手段を備えたことを特徴とする。
【発明の効果】
【００１４】
本発明によれば、基地局の接続が切断された場合でも、子局（端末局）と統制台の通信が行えるデジタル無線システムを得ることができる。
【発明を実施するための最良の形態】
【００１５】
図１は本発明によるデジタル無線システムの実施の形態の構成図である。図１において、図２と同一部分は同一記号で示してある。本実施の形態ではさらに基地局接続監視制御部１３と代替無線装置１４を備えた。
【００１６】
基地局接続監視制御部１３は、統制台８と統制局制御装置１との間に有線回線で接続し、代替無線装置１４は基地局接続監視制御部１３に有線回線で接続している。
【００１７】
基地局接続監視制御部１３は、統制局制御装置１と基地局無線送受信装置２，３，４の接続状況を内蔵する異常検知器で監視し、該異常検知器で統制局制御装置１と基地局無線送受信装置２，３，４のいずれかが切断された場合に、そのことを表す異常発生信号を発生して内蔵する起動器に送り、該起動器は代替無線装置１４を起動することで、代替無線装置１４は切断された基地局無線送受信装置２，３，４のいずれかと代替デジタル無線回線で接続することとなる。
【００１８】
通常状態での通信動作は従来のデジタル無線システムと同様である。本実施の形態では、統制局制御装置１と基地局無線送受信装置２，３，４との接続状況を基地局接続制御部１３にて監視し、統制局制御装置１と基地局無線送受信装置２，３，４のうちのいずれか例えば２との接続が切断された場合に、基地局接続監視制御部１３は代替無線装置１４を起動する。
【００１９】
このことで、切断状態である基地局無線送受信装置２のエリアに配置された端末局例えば５−１から統制台１に発呼したときは、基地局無線送受信装置２はデジタル無線回線にて統制台８への呼出信号を送信し、代替無線装置１４は切断状態である基地局無線送受信装置２からの呼出信号を受信すると、統制台１と基地局無線送受信装置２の回線を接続し、端末局５−１と統制台１の通信を可能とする。このとき、通常状態である基地局無線送受信装置３または４から被呼した場合は、通常と同様に回線接続する。
【００２０】
また、統制台１から一斉通信等を行う場合、基地局接続監視制御部１３は統制局制御装置１に対して通常と同様に発呼要求を行うのと同時に、切断状態である基地局無線送受信装置２に対して代替無線装置１４を介して発呼要求を行う。統制局制御装置１と基地局無線送受信装置３または４が切断状態となった場合も同様の動作となる。
【００２１】
本発明によれば、基地局無線送受信装置２，３，４のいずれかの接続が切断された場合でも、端末局４−１，…，４−ｎ，５−１，…，５−ｎ，６−１，…，６−ｎと統制台８の通信が行える。
【図面の簡単な説明】
【００２２】
【図１】本発明によるデジタル無線システムの実施の形態の構成図である。
【図２】従来のデジタル無線システムの構成図である。
【符号の説明】
【００２３】
１：統制局制御装置
２，３，４：基地局無線送受信装置
５−１，…，５−ｎ，６−１，…，６−ｎ，７−１，…，７−ｎ：端末局
８：統制台
９：運用管理装置
１０：自動通信記録装置
１１ａ，１１ｂ：多重無線装置
１２ａ，１２ｂ：端局装置
１３：基地局接続監視制御部
１４：代替無線装置。
【図１】
2006261893.tif 000003
【図２】
2006261893.tif 000004